(57)【特許請求の範囲】
【請求項１】
ハブと、このハブと同心的にかつ相対回転可能な状態に配置されたプーリ本体がカップリングゴムを介して連結され、前記ハブ側及びプーリ本体側のうちの一方に、円周方向へ延びる空隙を介して異なる磁極が軸方向に互いに対向する磁石が設けられ、前記ハブ側及びプーリ本体側のうちの他方に、導電プレートが設けられ、前記導電プレートが、前記磁石と円周方向相対変位可能な状態で前記空隙に遊挿されたことを特徴とするトルク変動吸収ダンパ。
【請求項２】
磁石が、軸方向に対向すると共にその対向面に異なる磁極が着磁された対向凸部が円周方向所定間隔で複数対形成されたものであり、導電プレートが、前記各対向凸部間の空隙へ円周方向に出入り可能な複数の凸片が円周方向所定間隔で形成されたことを特徴とする請求項１に記載のトルク変動吸収ダンパ。
【請求項３】
磁石又は導電プレートが、マウント部を介してハブ側又はプーリ本体側に弾性的に支持されたことを特徴とする請求項１又は２に記載のトルク変動吸収ダンパ。
【請求項４】
マウント部が、所定の振幅未満の変位に対してはばね定数が低く、所定の振幅以上の変位に対してはばね定数が高くなる非線形特性を有することを特徴とする請求項３に記載のトルク変動吸収ダンパ。
【請求項５】
導電プレートが、ハブ又はプーリ本体に一体に形成されたことを特徴とする請求項１〜４のいずれかに記載のトルク変動吸収ダンパ。
【発明の詳細な説明】
【技術分野】
【０００１】
本発明は、ベルトを介して回転機器へトルクを伝達するプーリに、伝達トルクの変動を吸収する機構を設けたトルク変動吸収ダンパに関する。
【背景技術】
【０００２】
自動車の内燃機関で発生する駆動力の一部は、クランクシャフトの端部に設けられたプーリから、これに巻き掛けられたベルトを介して例えばオルタネータやウォーターポンプ等の補器に与えられるが、クランクシャフトは内燃機関の各行程によるトルク変動を伴って回転されるので、前記プーリには、トルク変動を吸収して伝達トルクの平滑化を図るためのトルク変動吸収機構が設けられる。図１２は、このようなトルク変動吸収機構が設けられたプーリ（トルク変動吸収ダンパ）の典型的な従来技術を示すものである。
【０００３】
すなわち、この種のトルク変動吸収ダンパは、自動車用内燃機関のクランクシャフトの端部に取り付けられて一体に回転するハブ１００と、このハブ１００に取り付けられたダイナミックダンパ部１１０及びフレキシブルカップリング部１２０を備える。
【０００４】
ダイナミックダンパ部１１０は、ハブ１００の外筒部１０１と、その外周に配置した環状質量体１１２の間に、ゴム状弾性を有するダンパゴム１１１を圧入した構造を有する。また、カップリング部１２０は、内径の被支持筒部１２１ａがハブ１００の外筒部１０１にベアリング１２２を介して支持されたプーリ本体１２１と、ハブ１００の内筒部１０２の外周面に嵌着されたスリーブ１２３と前記プーリ本体１２１の内径の被支持筒部１２１ａとの間に加硫接着されたゴム状弾性を有するカップリングゴム１２４とからなる。
【０００５】
すなわち、この種のトルク変動吸収ダンパは、クランクシャフトからハブ１００へ入力されたトルクを、フレキシブルカップリング部１２０において、カップリングゴム１２４の捩り方向剪断変形作用によってトルク変動を吸収しながらプーリ本体１２１へ伝達すると共に、ダンパゴム１１１及び環状質量体１１２で構成されるばね−質量系からなるダイナミックダンパ部１１０が、クランクシャフトの共振周波数域で捩り方向へ共振することによって、クランクシャフトの共振を動的吸収する制振機能を発揮するものである（特許文献１参照）。
【先行技術文献】
【特許文献】
【０００６】
【特許文献１】実用新案登録第２６０５６６２号
【発明の概要】
【発明が解決しようとする課題】
【０００７】
しかしながら、上述のような構造の従来のトルク変動吸収ダンパは、内燃機関を起動し、あるいは停止する際に、クランクシャフトの回転数の変化に伴うトルク変動の周波数の変化が、フレキシブルカップリング部１２０の共振点を通過することから、このときの共振によるトルク変動の増大によって大きく振れ回るプーリ本体１２１と、これに巻き掛けられた不図示のベルトとの間に滑りを生じる問題がある。そしてこのようなベルトスリップを生じると、「ベルト鳴き」と呼ばれる異音が発生するばかりか、ベルトの耐久性を低下させ、走行に支障を来たすなどの懸念がある。
【０００８】
また、フレキシブルカップリング部１２０におけるカップリングゴム１２４の捩り方向の過大変形を防止するには、ハブ１００とプーリ本体１２１の円周方向相対変位量を制限するために、ピンと孔の遊嵌構造等によるストッパ機構を設ける必要があるが、クランクシャフトの回転時、フレキシブルカップリング部１２０には、ベルトを介して補機の負荷によるプリトルクが作用しており、これによって予めカップリングゴム１２４がねじれた状態になっているため、ハブ１００とプーリ本体１２１の円周方向両側への相対変位量を制限するストッパ機構を設けることが難しいといった問題がある。
【０００９】
本発明は、以上のような点に鑑みてなされたものであって、その技術的課題は、トルクを、その変動を吸収しながら伝達可能であって、しかも共振等による大きなトルク変動入力時のベルトスリップの発生を防止可能なトルク変動吸収ダンパを提供することにある。
【課題を解決するための手段】
【００１０】
上述した技術的課題を有効に解決するための手段として、請求項１の発明に係るトルク変動吸収ダンパは、ハブと、このハブと同心的にかつ相対回転可能な状態に配置されたプーリ本体がカップリングゴムを介して連結され、前記ハブ側及びプーリ本体側のうちの一方に、円周方向へ延びる空隙を介して異なる磁極が軸方向に互いに対向する磁石が設けられ、前記ハブ側及びプーリ本体側のうちの他方に、導電プレートが設けられ、前記導電プレートが、前記磁石と円周方向相対変位可能な状態で前記空隙に遊挿されたものである。
【００１１】
上記構成によれば、入力トルクは、ハブとプーリ本体の間で弾性体を介して伝達されると共に、伝達トルクの変動は、カップリングゴムの円周方向剪断変形によって吸収される。そして、トルク変動に伴うハブとプーリ本体の円周方向相対変位によって、ハブ側及びプーリ本体側のうちの一方に設けられた磁石と他方に設けられた導電プレートが円周方向相対変位すると、軸方向に対向する磁極間で導電プレートを軸方向に貫通している磁束によって、導電プレートに顕著な渦電流を生じ、この渦電流による磁界は磁石と導電プレートの円周方向相対変位を妨げる電磁ブレーキ作用を惹起するので、ハブとプーリ本体の過大な円周方向相対変位によるカップリングゴムの過大変形が抑制される。
【００１２】
請求項２の発明に係るトルク変動吸収ダンパは、請求項１に記載された構成において、磁石が、軸方向に対向すると共にその対向面に異なる磁極が着磁された対向凸部が円周方向所定間隔で複数対形成されたものであり、導電プレートが、前記各対向凸部間の空隙へ円周方向に出入り可能な複数の凸片が円周方向所定間隔で形成されたものである。
【００１３】
上記構成によれば、トルク変動に伴うハブとプーリ本体の円周方向相対変位によって、ハブ側及びプーリ本体側のうちの一方に設けられた磁石と他方に設けられた導電プレートが円周方向相対変位すると、導電プレートの各凸片が、磁石における各対向凸部間の空隙へ円周方向に出入りすることによって、各対向凸部（各対向磁極）間で前記凸片を貫通する磁束の量が変化し、渦電流がこのような磁束の変化を打ち消すように各凸片に生じるので、磁石と凸片（導電プレート）の円周方向相対変位が抑制される。
【００１４】
請求項３の発明に係るトルク変動吸収ダンパは、請求項１又は２に記載された構成において、磁石又は導電プレートが、マウント部を介してハブ側又はプーリ本体側に弾性的に支持されたものである。
【００１５】
上記構成によれば、磁石と導電プレートの電磁ブレーキ作用によるハブとプーリ本体の円周方向相対変位抑制作用が、マウント部の変形によって緩和されるので、通常のトルク変動入力に対するカップリングゴムの円周方向剪断変形によるトルク変動吸収機能が確保され、ハブとプーリ本体の円周方向相対変位抑制作用を適宜に調節することができる。
【００１６】
請求項４の発明に係るトルク変動吸収ダンパは、請求項３に記載された構成において、マウント部が、所定の振幅未満の変位に対してはばね定数が低く、所定の振幅以上の変位に対してはばね定数が高くなる非線形特性を有するものである。
【００１７】
上記構成によれば、アイドル回転以上の常用回転域の通常のトルク変動に対しては、磁石と導電プレートの電磁ブレーキ作用によるハブとプーリ本体の円周方向相対変位抑制作用がばね定数の低いマウント部によって緩和されるので、カップリングゴムの円周方向剪断変形によるトルク変動吸収機能が確保され、アイドル回転未満の低回転域の大振幅変位やベルト共振による大振幅変位に対してのみ、前記電磁ブレーキ作用を有効に機能させることができる。
【００１８】
請求項５の発明に係るトルク変動吸収ダンパは、請求項１〜４のいずれかに記載された構成において、導電プレートが、ハブ又はプーリ本体に一体に形成されたものである。
【００１９】
上記構成によれば、構造を簡素化し、導電プレートを設けることによる部品数の増大を抑制することができる。
【発明の効果】
【００２０】
本発明に係るトルク変動吸収ダンパによれば、ハブとプーリ本体の間での弾性体の円周方向剪断変形によって、入力トルクを、その変動を吸収しながら伝達可能であり、しかも大きなトルク変動入力に対しては、軸方向に対向する磁極間で導電プレートを軸方向に貫通している磁束によって磁石と導電プレートの間に顕著な電磁ブレーキ作用を生じてカップリングゴムの過大変形が抑制されるので、ベルトスリップやカップリングゴムの破断を防止して長期間にわたって優れたトルク変動吸収機能を奏することができる。
【図面の簡単な説明】
【００２１】
【図１】本発明に係るトルク変動吸収ダンパの好ましい第一の実施の形態を、その軸心を通る平面で切断して示す半断面図である。
【図２】本発明に係るトルク変動吸収ダンパの好ましい第一の実施の形態を、その軸心を通る平面で切断して示す断面斜視図である。
【図３】図２からハブ及びダイナミックダンパ部を除去した状態を示す断面斜視図である。
【図４】第一の実施の形態に係るトルク変動吸収ダンパの概略モデルを示す説明図である。
【図５】第一の実施の形態による防振特性を示す線図である。
【図６】本発明に係るトルク変動吸収ダンパの好ましい第二の実施の形態を、その軸心を通る平面で切断して示す半断面図である。
【図７】本発明に係るトルク変動吸収ダンパの好ましい第二の実施の形態を、その軸心を通る平面で切断して示す断面斜視図である。
【図８】図７からハブ及びダイナミックダンパ部を除去した状態を示す断面斜視図である。
【図９】第二の実施の形態に係るトルク変動吸収ダンパの概略モデルを示す説明図である。
【図１０】本発明に係るトルク変動吸収ダンパの好ましい第二の実施の形態の部分変更例を、その軸心を通る平面で切断して示す半断面図である。
【図１１】第二の実施の形態におけるマウント部のばね特性を示す線図である。
【図１２】従来の技術によるトルク変動吸収ダンパの一例を、その軸心を通る平面で切断して示す半断面図である。
【発明を実施するための形態】
【００２２】
以下、本発明に係るトルク変動吸収ダンパの好ましい実施の形態について図面を参照しながら説明する。図１は第一の実施の形態に係るトルク変動吸収ダンパを、その軸心Ｏを通る平面で切断して示す半断面図、図２は断面斜視図、図３は図２からハブ及びダイナミックダンパ部を除去した状態を示す断面斜視図、図４は第一の実施の形態の概略モデルを示す説明図である。なお、以下の説明において用いられる「正面側」とは、図１における左側、すなわち車両のフロント側のことであり、「背面側」とは、図１における右側、すなわち不図示の内燃機関が存在する側のことである。
【００２３】
図１及び図２において、参照符号１は、自動車の内燃機関のクランクシャフト（不図示）の端部に取り付けられるハブである。このハブ１は、金属材料の鋳造等により製作されたものであって、クランクシャフトに固定される取付筒部１１と、そこから段差部１２を介して正面側へ延びる内筒部１３と、この内筒部１３の正面側の端部から外径側へ展開する円盤部１４と、その外径端部から背面側へ延びる外筒部１５からなる。
【００２４】
参照符号２は、ハブ１に取り付けられたダイナミックダンパ部で、ハブ１の外筒部１５と、その外周に配置した金属製の環状質量体２１を、ダンパゴム２２を介して弾性的に連結した構造を有する。ダンパゴム２２は、耐熱性、耐寒性及び機械的強度に優れたゴム状弾性材料（ゴム材料又はゴム状弾性を有する合成樹脂材料）で環状に成形され、ハブ１の外筒部１５の外周面と環状質量体２１の内周面の間に圧入等によって介在されたものである。
【００２５】
ダイナミックダンパ部２の捩り方向（円周方向）の固有振動数は、環状質量体２１の円周方向慣性質量と、ダンパゴム２２の捩り方向剪断ばね定数によって、機関振動等によるクランクシャフトの捩れ角が最大となる所定の振動数域、言い換えればクランクシャフトの捩り方向固有振動数と合致するように同調されている。
【００２６】
参照符号３はフレキシブルカップリング部で、プーリ本体３１とハブ１を、カップリングゴム３２を介して弾性的に連結した構造を有する。詳しくは、プーリ本体３１は外周面に不図示のベルトを巻き掛けるためのポリＶ溝３１ａが形成され、その背面側の端部からダイナミックダンパ部２の背面側へ廻り込む背面壁部３１ｂを介してハブ１の外筒部１５の内周側を正面側へ延びる被支持筒部３１ｃを有するものであって、カップリングゴム３２は、ハブ１の内筒部１３の外周面に嵌着されたスリーブ３３と前記プーリ本体３１の被支持筒部３１ｃとの間に、耐熱性、耐寒性及び機械的強度に優れたゴム状弾性材料（ゴム材料又はゴム状弾性を有する合成樹脂材料）で一体に加硫成形されたものである。
【００２７】
カップリングゴム３２は、捩り方向剪断ばね定数がダンパゴム２２に比較して十分に低いものであると共に、捩り方向への許容変形量が大きなものとなっており、また、大きなトルク伝達力を与えるため、軸方向及び径方向の肉厚が十分に大きく形成されている。また、このカップリングゴム３２は、ハブ１とプーリ本体３１の間で捩り方向剪断変形を受けた時に径方向全域で剪断応力がほぼ均一になるように、軸方向の肉厚が外径側ほど減少する形状となっている。
【００２８】
ハブ１の外筒部１５の内周面と、プーリ本体３１の被支持筒部３１ｃとの間には、ベアリング４が摺動可能な状態で介在している。このベアリング４は摺動性及び耐摩耗性に優れたＰＴＦＥ（ポリテトラフルオロエチレン）あるいはＰＰＳ（ポリフェニレンサルファイド）等の合成樹脂材料からなるものであって、円筒状に成形されており、すなわちプーリ本体３１は、ベアリング４を介して、ハブ１の外筒部１５に相対回転可能な状態で同心的に支持されている。
【００２９】
フレキシブルカップリング部３におけるカップリングゴム３２の正面側には、磁石５が配置されており、この磁石５はハブ１の内筒部１３の外周面に固定されている。
【００３０】
詳しくは、磁石５は環状であって、円周方向へ延びる空隙δを介して軸方向に互いに対向すると共にその対向面に極性の異なる磁極（Ｓ極とＮ極）が着磁された対向凸部５ａ，５ｂが、図３に示すように、円周方向等間隔で複数対形成されている。なお、この磁石５は、環状体に複数対の永久磁石を取り付けることによって対向凸部５ａ，５ｂを形成したものであっても良い。
【００３１】
プーリ本体３１の被支持筒部３１ｃの正面側の端部には、環状の導電プレート６が取り付けられている。この導電プレート６は、導電性材料（好ましくは透磁率が高く電気抵抗の低い金属）からなるものであって、前記被支持筒部３１ｃの端部外周面に圧入嵌着された嵌着筒部６ａと、この嵌着筒部６ａから円周方向所定間隔で内径側へ屈曲して延びる凸片６ｂからなる。
【００３２】
導電プレート６の凸片６ｂは、図３に示すように円周方向等間隔で複数形成されており、これら各凸片６ｂは、ハブ１の内筒部１３に設けられた磁石５における各対向凸部５ａ，５ｂ間の各空隙δを円周方向へ貫通した状態で遊挿され、すなわち磁石５に対して円周方向相対変位可能な状態で設けられている。
【００３３】
このため、磁石５の対向凸部５ａ，５ｂに着磁された異なる磁極間に形成される磁束は、前記対向凸部５ａ，５ｂ間の空隙δ内にある導電プレート６の凸片６ｂを軸方向に貫通しており、したがって、対向凸部５ａ，５ｂと凸片６ｂが円周方向相対変位することによって凸片６ｂに渦電流を生じ、この渦電流により誘導される磁界は対向凸部５ａ，５ｂ（磁石５）と凸片６ｂ（導電プレート６）の円周方向相対変位を妨げる電磁ブレーキ作用を惹起するようになっている。
【００３４】
そして図４に示すように、この磁石５と導電プレート６による電磁ブレーキ機構は、ハブ１とプーリ本体３１の間で、カップリングゴム３２と並列に設けられた関係にある。
【００３５】
また、磁石５を対向凸部５ａ，５ｂが円周方向等間隔で複数対形成された形状とし、導電プレート６を凸片６ｂが円周方向等間隔で複数形成された形状とすることによって、図示のように組み込むことが可能となる。
【００３６】
以上の構成を備える第一の実施の形態のトルク変動吸収ダンパは、ハブ１の取付筒部１１が、不図示のクランクシャフトの軸端に装着されることによってこのクランクシャフトと共に回転される。クランクシャフトのトルクは、ハブ１からフレキシブルカップリング部３のスリーブ３３及びカップリングゴム３２を介してプーリ本体３１へ伝達され、更にプーリ本体３１に巻き掛けられたベルトを介して補機の回転軸に伝達される。
【００３７】
そしてダイナミックダンパ部２は、機関振動等に起因するクランクシャフトの捩り振動による捩れ角が最大となる振動数域で捩り方向に共振することによって動的吸振機能を奏するので、クランクシャフトの捩れ角のピークを有効に低減することができる。また、アイドル回転等においてクランクシャフトからハブ１へ入力されるトルク変動は、フレキシブルカップリング部３におけるカップリングゴム３２が低ばねで捩り方向へ剪断変形されることによって吸収される。
【００３８】
ここで、図５に示す防振特性線のように、この種のトルク変動吸収ダンパでは、フレキシブルカップリング部３の捩り共振領域（振動伝達率が１より大きい領域）が、アイドル振動よりも低い振動数域に設定される。これは、アイドル振動以上の全ての振動数域（常用回転数域）で、振動伝達率が１より小さい防振領域となるようにするためである。したがって、アイドル回転より低回転の、起動・停止時には、トルク変動の周波数がフレキシブルカップリング部３の共振点を通過することになるが、本発明によれば、この共振領域では、磁石５と導電プレート６による電磁ブレーキ機構によって共振倍率を顕著に低下させることができる。
【００３９】
詳しくは、フレキシブルカップリング部３の共振によって、プーリ本体３１がハブ１に対して円周方向へ大きく相対変位しようとすると、これに伴い、ハブ１に設けられた磁石５の各対向凸部５ａ，５ｂとプーリ本体３１に設けられた導電プレート６の各凸片６ｂが円周方向相対変位するため、対向凸部５ａ，５ｂに着磁された異なる磁極間で凸片６ｂを軸方向に貫通している磁束によって、この凸片６ｂに渦電流を生じ、この渦電流により誘導される磁界は磁石５と凸片６ｂ（導電プレート６）の円周方向相対変位を妨げる電磁ブレーキ作用を惹起する。そして、磁石５と凸片６ｂの相対変位量が大きいほどその相対移動速度も大きくなるが、凸片６ｂに生じる渦電流の大きさ、言い換えればそれによる磁界の強さは前記相対移動速度と共に大きくなる。
【００４０】
また、導電プレート６の各凸片６ｂの円周方向幅を適切に設定しておけば、ハブ１とプーリ本体３１の円周方向相対変位量が所定の大きさを超えると、各凸片６ｂが、磁石５における各対向凸部５ａ，５ｂ間へ円周方向に出入りすることによって、各対向凸部５ａ，５ｂ（各対向磁極）間で前記凸片６ｂを貫通する磁束の量が変化し、渦電流がこのような磁束の変化を打ち消すように各凸片６ｂに生じることによっても、磁石５と導電プレート６間に電磁ブレーキ作用が惹起される。
【００４１】
したがって、このような電磁ブレーキ作用によって、ハブ１とプーリ本体３１の過大な円周方向相対変位が抑えられるので、カップリングゴム３２の過大変形が抑制されると共に、プーリ本体３１と、これに巻き掛けられた不図示のベルトのバタツキ及び滑り（ベルトスリップ）や、それに起因するベルト鳴き及びベルトの耐久性低下を有効に防止することができる。
【００４２】
次に図６は、本発明の第二の実施の形態に係るトルク変動吸収ダンパを、その軸心Ｏを通る平面で切断して示す半断面図、図７は断面斜視図、図８は図７からハブ及びダイナミックダンパ部を除去した状態を示す断面斜視図、図９は第二の実施の形態の概略モデルを示す説明図である。
【００４３】
この第二の実施の形態において、上述した第一の実施の形態と異なるところは、磁石５がマウント部７を介してハブ１の内筒部１３の外周面に取り付けられたことにある。このマウント部７は、ハブ１の内筒部１３の外周面に嵌着されたスリーブ７１の外周面と磁石５の内周面との間に耐熱性、耐寒性及び機械的強度に優れたゴム状弾性材料（ゴム材料又はゴム状弾性を有する合成樹脂材料）からなるマウント本体７２が一体に加硫成形されたものである。
【００４４】
その他の部分の構成は、第一の実施の形態と同様に構成されている。
【００４５】
上述の構成を備える第二の実施の形態に係るトルク変動吸収ダンパによれば、磁石５と導電プレート６の電磁ブレーキ作用によるハブ１とプーリ本体３１の円周方向相対変位抑制作用が、マウント部７のマウント本体７２の変形によって緩和されるので、前記電磁ブレーキ作用を適切に調整することができる。
【００４６】
また図１０は、第二の実施の形態に係るトルク変動吸収ダンパの部分変更例を示すもので、マウント本体７２に円周方向所定間隔で複数のすぐり７２ａを形成することによって、円周方向に対するマウント本体７２のばね定数を、図１１に示すように、例えばアイドル以上の回転領域で発生する所定の振幅未満の変位に対しては低いばね定数で、例えば起動・停止時などに発生する所定の振幅以上の変位に対しては、すぐり７２ａに形成した突起７２ｂがすぐり７２ａの内面に圧接することによってマウント本体７２の円周方向ばね定数が高くなるようにしたものである。
【００４７】
この構成によれば、アイドル回転以上の常用回転域の通常のトルク変動に対しては、磁石５と導電プレート６の電磁ブレーキ作用によるハブ１とプーリ本体３１の円周方向相対変位抑制作用が、すぐり７２ａによるマウント本体７２の柔軟な変形によって緩和されるので、カップリングゴム３２の円周方向剪断変形によるトルク変動吸収機能が確保され、アイドル回転未満の低回転域の大振幅変位やベルト共振による大振幅変位に対しては、マウント本体７２が高ばねとなることによって、前記電磁ブレーキ作用を有効に機能させてカップリングゴム３２の過大変形を抑制することができる。
【００４８】
なお、上述した第一及び第二の実施の形態においては、磁石５をハブ１側に設け、導電プレート６をプーリ本体３１側に設けたが、これとは逆に、磁石５をプーリ本体３１側に設け、導電プレート６をハブ１側に設けても良い。
【００４９】
また、プーリ本体３１が金属板をプレスなどにより塑性加工して製作したものである場合は、導電プレート６をプーリ本体３１に一体に形成することもできる。
【００５０】
また、第二の実施の形態では磁石５をマウント部７により支持したが、これとは逆に、導電プレート６をマウント部７によりプーリ本体３１側（又はハブ１側）に支持し、磁石５をハブ１側（又はプーリ本体３１側）に固定した構成としても良い。
【符号の説明】
【００５１】
１  ハブ
２  ダイナミックダンパ部
２１  環状質量体
２２  ダンパゴム
３  フレキシブルカップリング部
３１  プーリ本体
３２  カップリングゴム
４  ベアリング
５  磁石
５ａ，５ｂ  対向凸部
６  導電プレート
６ｂ  凸片
７  マウント部
δ  空隙
【図１】
0005910859.tif 000002
【図２】
0005910859.tif 000003
【図３】
0005910859.tif 000004
【図４】
0005910859.tif 000005
【図５】
0005910859.tif 000006
【図６】
0005910859.tif 000007
【図７】
0005910859.tif 000008
【図８】
0005910859.tif 000009
【図９】
0005910859.tif 000010
【図１０】
0005910859.tif 000011
【図１１】
0005910859.tif 000012
【図１２】
0005910859.tif 000013